(57)【要約】【課題】デジタル放送受信時は受信したデータストリームの基準時刻情報に随従したシステムクロックを正確に生成し、ディスク再生時には低ジッター、高ピュリティでかつ周波数変動の極小なシステムクロックを提供する。【解決手段】データストリーム（ＭＰＥＧ２−ＴＳ）からの時刻基準情報（ＰＣＲ）に同期した同期クロック（ＣＫ１）を生成する第１ＰＬＬ回路（ＰＬＬ１）と、固定クロック（ＣＫ３）を生成する発振器（ＶＸＯ）と、クロック切替信号を出力する制御部（２５）と、前記クロック切替信号によって、前記同期クロックと前記固定クロックを切り替え選択し、選択されたクロックをシステムクロックとして出力するクロック切替部（２１ｇ）とを備える。【選択図】  図２
2006134390.tif 000002
【特許請求の範囲】
【請求項１】
データストリームからの時刻基準情報に同期した同期クロックを生成する第１ＰＬＬ回路と、
固定クロックを生成する発振器と、
クロック切替信号を出力する制御部と、
前記制御部からの前記クロック切替信号によって、前記同期クロックと前記固定クロックを切替え選択し、選択されたクロックをシステムクロックとして出力するクロック切替部とを具備した装置。
【請求項２】
データストリームからの時刻基準情報に同期した第１の同期クロックを生成する第１ＰＬＬ回路と、
固定クロックを生成する発振器と、
前記固定クロックに同期した第２の同期クロックを生成する第２ＰＬＬ回路と、
制御電圧切替信号およびクロック切替信号を出力する制御部と、
前記制御部からの前記制御電圧切替信号によって、前記第１ＰＬＬ回路が生成する前記第１の同期クロックと前記第２ＰＬＬ回路が生成する前記第２の同期クロックを切替え、切替えられたクロックを同期クロックとして前記第１ＰＬＬ回路または前記第２ＰＬＬ回路から出力させる制御電圧切替部と、
前記制御部からの前記クロック切替信号によって、前記固定クロックと前記同期クロックを切替え選択し、選択されたクロックをシステムクロックとして出力するクロック切替部とを具備したクロック生成装置。
【請求項３】
前記同期クロックとして前記第２の同期クロックが出力されているときに、前記クロック切替部が、前記同期クロックから前記固定クロックへ切替えを行なうように構成された請求項２に記載のクロック生成装置。
【請求項４】
情報記憶媒体を用いて記録または再生を行なうドライブ装置と、システムクロックを生成するクロック生成装置と、前記システムクロックを用いてデータストリームを所定フォーマットで前記情報記憶媒体に記録し、または記録された情報を再生する情報記録再生装置において、前記クロック生成装置が、以下の構成を具備する：
前記データストリームからの時刻基準情報に同期した第１の同期クロックを生成する第１ＰＬＬ回路と、
固定クロックを生成する発振器と、
前記固定クロックに同期した第２の同期クロックを生成する第２ＰＬＬ回路と、
制御電圧切替信号およびクロック切替信号を出力する制御部と、
前記制御部からの前記制御電圧切替信号によって、前記第１ＰＬＬ回路が生成する前記第１の同期クロックと前記第２ＰＬＬ回路が生成する前記第２の同期クロックを切替え、切替えられたクロックを同期クロックとして前記第１ＰＬＬ回路または前記第２ＰＬＬ回路から出力させる制御電圧切替部と、
前記制御部からの前記クロック切替信号によって、前記固定クロックと前記同期クロックを切り替え選択し、選択されたクロックを前記システムクロックとして出力するクロック切替部。
【請求項５】
前記制御部はＭＰＥＧのトランスポートストリームとＭＰＥＧのパケタイズドエレメンタリストリームを切り替え選択する選択信号を出力するように構成され、
前記情報記録再生装置が、前記選択信号によって切り替え選択された前記トランスポートストリームまたは前記パケタイズドエレメンタリストリームのパケットを処理するデータ処理部をさらに具備した請求項４に記載の情報記録再生装置。
【請求項６】
前記制御部からの前記選択信号によって前記トランスポートストリームが選択された場合は、前記制御電圧切替部は前記第１の同期クロックが生成されるように設定され、前記クロック切替部は前記第１の同期クロックが前記システムクロックとして出力されるように設定される請求項５に記載の情報記録再生装置。
【請求項７】
前記制御部からの前記選択信号によって前記パケタイズドエレメンタリストリームが選択された場合は、前記制御電圧切替部は前記第２の同期クロックが生成されるように設定され、そのあとに、前記クロック切替部は前記固定クロックが前記システムクロックとして出力されるように設定される請求項５または請求項６に記載の情報記録再生装置。
【請求項８】
時刻基準情報を含むデータストリームを扱うときは、前記時刻基準情報に同期した第１の同期クロックを生成し、
前記データストリームを扱わないときは、所定の固定クロックを生成し、
前記第１の同期クロックから前記固定クロックへ切り替える際は、前記第１の同期クロックを一旦前記固定クロックに同期した第２の同期クロックに変えてから、前記固定クロックをシステムクロックとして出力するように構成したクロック生成方法。
【発明の詳細な説明】
【技術分野】
【０００１】
この発明は、ＭＰＥＧトランスポートストリーム等のデータストリームに同期するシステムクロックの生成装置および生成方法に関する。
【背景技術】
【０００２】
デジタル放送では、映像や音声などがＭＰＥＧ（Moving Picture Expert Group）などの技術によって圧縮符号化されて衛星通信網などによって放送される。受信側では、その符号化ビットストリームがリアルタイムで復号され、さらに適宜アナログ信号に変換されてモニタ出力装置に出力されることによって、視聴者は映像や音声を視聴することができる。
【０００３】
デジタル放送受信機またはデジタル放送チューナには、受信した符号化ビットストリーム（ＭＰＥＧ２−ＴＳ）に含まれるＰＣＲ（Program Clock Reference）などの基準時刻情報に同期した、例えば２７ＭＨｚのクロックを発生するクロック生成装置が実装される（特許文献１参照）。特許文献１では、１つの電圧制御水晶発振器（ＶＣＸＯ）によって、デジタルデータに含まれる基準時刻情報に同期したクロックと固定周波数のクロックとを選択的に得るようにしている。これによって、受信側においても、送信側と同位相のクロックが生成されて、符号化データを復号するとき、符号化データを一時記憶するバッファのオーバーフローやアンダーフローを生じることなく、符号化データを復号することができる。また長時間の受信時においても、映像や音声の乱れを生じることなく、映像や音声を視聴することができる。
【特許文献１】特開２００２−１５５２７号公報（図３；段落０００３〜０００９）
【発明の開示】
【発明が解決しようとする課題】
【０００４】
デジタル放送チューナからのＭＰＥＧ２−ＴＳ（Transport Stream）を記録再生装置に入力して記録する場合には、クロック生成部がＰＬＬ（Phase Locked Loop）を形成し、ＭＰＥＧ２−ＴＳに含まれるＰＣＲに同期したクロックが得られるようにする。デジタル放送を録画したディスク等の再生時には、電圧制御水晶発振器ＶＣＸＯ（Voltage-Controlled variable X’tal Oscillator）から２７ＭＨｚの固定周波数のクロックを得る。このような構成のクロック生成装置を利用して固定周波数のクロックを生成する場合では、再生時にはＶＣＸＯの制御電圧を固定周波数になるように変更してクロックを出力する必要があるが、ＶＣＸＯの発振が制御電圧の影響を受ける関係上、得られるクロックがどうしてもジッターを含んでしまう。
【０００５】
この発明の課題の１つは、デジタル放送受信時などでは受信したデータストリームの基準時刻情報に随従したシステムクロックを正確に生成し、さらにディスク再生時などでは低ジッター、高ピュリティでかつ周波数変動の極小なシステムクロックを提供することである。
【課題を解決するための手段】
【０００６】
この発明の一実施の形態に係るクロック生成装置は、例えばＭＰＥＧ２−ＴＳデータストリーム受信時にはデータストリームに含まれる基準時刻情報（ＰＣＲ）に同期したクロックＣＫ１、それ以外のときはＶＸＯ（Variable X’tal Oscillator）からの固定周波数クロックＣＫ３が、選択的に得られるように構成される。ここで、ＶＸＯは、単独で安定な一定周波数の発振を行える発振器で構成され、電圧制御される発振器ＶＣＸＯよりも低ジッターにできる。
【０００７】
なお、固定クロック（ＶＸＯ）と同期クロック（ＶＣＸＯ）を切り替える際には、両者の位相を一致させてから切り替えないと、クロックに一時断絶が起こる可能性がある。そのため、同期クロック（ＶＣＸＯ）から固定クロック（ＶＸＯ）に切り替える場合には、クロック生成部がＶＸＯに位相ロックするＰＬＬを形成し、同期クロック（ＶＣＸＯ）を一旦固定クロック（ＶＸＯ）に同期させてから、ＶＸＯに同期したＶＣＸＯを固定クロックＶＸＯに切り替えるように構成するとよい。
【０００８】
また、前記固定クロックと前記同期クロックを切り替えるクロック切替部は、電源投入の待機時および電源投入時は、前記固定クロックをシステムクロックとして出力するように構成できる。
【０００９】
また、前記クロック切替部は、前記データストリームが検出されない場合は、前記固定クロックを前記システムクロックとして出力するように構成されてもよい。
【００１０】
さらに、この発明の一実施の形態に係るクロック生成方法は、データストリームからの時刻基準情報に同期した同期クロックを生成し、この同期クロックまたは所定の固定クロックのうちの一方をシステムクロックとして出力するように構成できる。
【発明の効果】
【００１１】
デジタル放送受信時などでは受信したデータストリームの基準時刻情報に随従したシステムクロック（例えばＰＣＲに位相ロックした同期クロック）を正確に生成し、さらにディスク再生時などでは低ジッター、高ピュリティでかつ周波数変動の極小なシステムクロック（例えば外部からの影響を受けないように独立した構成を持つ水晶発振器から得た固定クロック）を提供することで、それぞれの再生に適した環境を実現し、最適な映像処理動作が可能となる。
【発明を実施するための最良の形態】
【００１２】
以下、この発明の実施の形態について、図面を参照しながら詳細に説明する。図１は、この発明の一実施の形態に係る情報記録再生装置を示す概略構成図である。図１の装置は、デジタル入出力部１１、ＴＶチューナ部１２、ＡＶ入力部１３、デジタルＩ／Ｆ部１４、Ａ／Ｄ変換部１５、エンコーダ部１６、データ処理部１７、一時記憶部１８、ＨＤＤ（ハードディスクドライブ）部１９、ディスクドライブ部２０、記録媒体（赤色ないし青色レーザを用いたランダムアクセスＲＡＭ型、リードライトＲＷ型、あるいはライトワンスＲ型の光ディスク）Ｄ、クロック生成部２１、デコーダ部２２、Ｄ／Ａ変換部２３、ＡＶ出力部２４、制御部２５、ユーザーインターフェース部２６等を含んで構成される。なお、図示しないが、記録媒体として磁気テープを用いたデジタルレコーダあるいは大容量フラッシュメモリを用いた半導体レコーダをデータ処理部１７に接続して、デジタル録再するように構成することもできる。
【００１３】
制御部２５は、マイクロプロセシングユニット（ＭＰＵ）により構成され、その制御ソフトウエア（ファームウエア）として、ＭＰＥＧ２−ＴＳ選択制御部２５ａ、クロック切替制御部２５ｂ、制御電圧切替制御部２５ｃ等を含んでいる（図示しないファームウエア用のＲＯＭエリアがＭＰＵ２５内にある）。この制御部（ＭＰＵ）２５はさらに、制御プログラムのワークエリア等に用いるワークＲＡＭ２５ｄ、制御プログラム実行に必要な種々なパラメータやユーザーインターフェース用のオンスクリーン表示（ＯＳＤ）データ等を格納したＲＯＭ２５ｅも含んでいる。
【００１４】
制御部２５のＭＰＥＧ２−ＴＳ選択制御部２５ａは、図示しないリモコン操作等によるユーザーの入力選択信号をユーザーインターフェース部２６から受け、デジタル信号入力およびアナログ信号入力の選択において、データ処理部１７の制御を行なう。ここで、選択対象のデジタル信号としてはデジタル入出力部１１からのＭＰＥＧ２−ＴＳ信号（実施の形態によってはＭＰＥＧ２−ＰＳ信号が選択対象に含まれてもよい）があり、選択対象のアナログ信号としてはＴＶチューナ部１２および／またはＡＶ入力部１３からのアナログＡＶ信号をＡ／Ｄ変換してデジタル化したＰＥＳ（Packetized Elementary Stream）信号がある（ＰＥＳは、ＭＰＥＧ２のＰＳ（Program Stream）に多重化される各信号パケットに対応したもの）。すなわち、ＭＰＥＧ２−ＴＳ選択制御部２５ａは、ＭＰＥＧ２−ＴＳとＭＰＥＧ２−ＰＳのＰＥＳを切り替え選択する選択信号を出力するように構成されている。データ処理部１７は、この選択信号によって切り替え選択されたＴＳまたはＰＥＳのパケットを処理するように構成されている。
【００１５】
一方、制御部２５のクロック切替制御部２５ｂおよび制御電圧切替制御部２５ｃは、選択された入力信号がデジタル信号（ＭＰＥＧ２−ＴＳ等）であるか否かでクロック生成部２１の制御を行なう。その詳細については、図２を参照して後述する。
【００１６】
記録媒体Ｄに対して情報の読み書き（録画および／または再生）を実行する部分としては、光学系および駆動系を有するディスクドライブ部２０と、データ処理部１７と、一時記憶部１８と、クロック生成部（システムタイムカウンターまたはシステムタイムクロック：ＳＴＣ）２１を備えている。一時記憶部１８は、データ処理部１７、ディスクドライブ部２０介して記録媒体Ｄに書き込まれるデータ（エンコーダ部１６から出力されるデータ）のうちの一定量分をバッファリングしたり、ディスクドライブ部２０、データ処理部１７を介して記録媒体Ｄから再生されたデータ（デコーダ部２２に入力されるデータ）のうちの一定量分をバッファリングしたりするのに利用される。ディスクドライブ部２０は、光ディスクに対する回転制御系、レーザ駆動系、光学系などを有する。
【００１７】
ＴＶチューナ部１２および／またはＡＶ入力部１３から出力されるアナログ映像信号とアナログ音声信号は、Ａ／Ｄ変換部１５によってデジタル映像音声信号に変換される。映像音声信号は、エンコーダ部１６においてエンコード処理される。具体的には、映像信号は例えばＭＰＥＧ２圧縮符号化方式を用いて圧縮され、音声信号は予め選択されたモードに応じてＬＰＣＭ（Linear Pulse Code Modulation）で符号化されるか音声デジタル圧縮方式（ＭＰ２、ＡＡＣ、ＡＣ−３等）を用いて符号化され、両者が多重化された圧縮ストリーム（ＭＰＥＧ２−ＰＳ信号）が生成される。符号化されたデータ（ＭＰＥＧ２−ＰＳ）あるいはデジタル入力されたデータストリーム（ＭＰＥＧ２−ＴＳ等）は、データ処理部１７を経由し、ディスクドライブ２０を介して記録媒体Ｄに記録され、および／またはＨＤＤ部１９に記録される。
【００１８】
一方、再生時には、記録媒体Ｄからディスクドライブ部２０を介して、またはＨＤＤ部１９から、データ処理部１７に再生データ（ＭＰＥＧ２−ＴＳまたはＭＰＥＧ２−ＰＳ）を供給し、デコーダ部２２において復号された映像音声信号を出力する。さらにデジタル映像音声信号はＤ／Ａ変換部２３によってアナログ映像音声信号に変換される。最後にアナログ映像・音声信号はＡＶ出力部２４に出力され、普通のテレビ受像機で見ることができる。これらの動作については、ユーザーインターフェース部２６からの指示に従って、制御部２５が、制御バスを介して全体の制御を行なう。
【００１９】
また、図１の情報記録再生装置は、デジタル入出力部１１とデータ処理部１７との間に双方向バス介してデジタルＩ／Ｆ部１４が接続されている。デジタル入出力部１１にデジタルリンクを介して外部装置（図示せず）を接続することによって、外部装置からの符号化された映像音声データ（ＭＰＥＧ２−ＴＳ等のデータストリーム）を記録媒体Ｄに記録し、記録媒体Ｄから再生された符号化された映像音声データ（ＭＰＥＧ２−ＴＳ等のデータストリーム）を外部装置に出力することができる。
【００２０】
上記の外部装置としては、デジタル放送受信機またはデジタル放送チューナ（ＳＴＢ：Set Top Box）などの機器を接続することができる。この外部装置と図１の情報記録再生装置との間のデジタルリンクのインターフェースとしては、ＩＥＥＥ（Institute of Electrical and Electronics Engineers）１３９４規格のＩ／Ｆなどを用いることができる。
【００２１】
外部装置からデジタル入出力部１１に入力された符号化された映像音声データは、デジタルＩ／Ｆ部１４で、適宜フォーマット変換などの処理が施され、情報記録再生装置に適合する形式（ＭＰＥＧ２−ＴＳあるいはＭＰＥＧ２−ＰＳ）に変換される。そして、データ処理部１７を経由して、ディスクドライブ２０を介して記録媒体Ｄに記録され、および／またはＨＤＤ部１９に記録される。これと同時に、データ処理部１７で、記録されるＭＰＥＧ２−ＴＳとＰＥＳが分離され、分離されたＰＥＳがＭＰＥＧ映像音声デコーダ部２２に供給されることによって、ＡＶ出力部２４に、外部装置からの映像音声データに対応したアナログ映像信号およびアナログ音声信号を得るように構成できる。
【００２２】
なお、デコーダ部２２にＭＰＥＧ２−ＴＳのデコード機能を持たせているときは、データ処理部１７からデコーダ部２２へＭＰＥＧ−ＴＳを送るように構成できる。この場合は、ＩＥＥＥ１３９４等を介して外部接続された図示しないＳＴＢ等の内蔵デコーダを用いなくても、ＨＤＤ部１９および／または記録媒体Ｄに記録された（または記録の最中の）ＭＰＥＧ２−ＴＳのコンテンツの再生映像を、ＡＶ出力部２４に送出できる。
【００２３】
図２は、この発明の一実施の形態に係るクロック生成装置の構成例を示すブロック図である。図１のような構成の情報記録再生装置において、外部装置としてデジタル放送チューナ（図示しないＳＴＢ）を接続し、デジタル放送チューナで受信した符号化ビットストリーム（ＭＰＥＧ２−ＴＳ等）を情報記録再生装置に入力してＨＤＤ部１９（および／またはディスクドライブ部２０に装填された光ディスクＤ）に記録し、ＨＤＤ部１９（および／または光ディスクＤ）から再生した符号化ビットストリームを復号化しＡＶ出力部２４に出力する場合を、以下で説明する。
【００２４】
図２は、この場合の情報記録再生装置のクロック生成部２１の一例を示している。この例のクロック生成部２１は、電圧制御水晶発振器（ＶＣＸＯ）２１ａ、第１ＰＬＬ回路部２１ｂ、制御電圧切替部２１ｃ、第２ＰＬＬ回路部２１ｄ、水晶発振器（ＶＸＯ）２１ｅおよびＶＸＯ用の水晶振動子（ＣＲＹＳＴＡＬ）２１ｆを備えている。
【００２５】
クロック生成部２１は、制御電圧に応じて発振周波数が２７ＭＨｚを中心として一定範囲内で変化するＶＣＸＯ２１ａと、このＶＣＸＯ２１ａとともに第１の位相ロックループＰＬＬ１を形成する第１ＰＬＬ回路２１ｂと、このＶＣＸＯ２１ａとともに第２の位相ロックループＰＬＬ２を形成する第２ＰＬＬ回路２１ｄを備えている。
【００２６】
ＰＬＬ１が動作するときは、デジタルＩ／Ｆ部１４から双方向バスに出力されたＭＰＥＧ２−ＴＳに含まれる基準時刻情報としてのＰＣＲ（またはＭＰＥＧ２−ＰＳに含まれるＳＣＲ：System Clock Reference）に対して、ＶＣＸＯ２１ａからのクロックＣＫ１が位相ロック（同期）するように、第１ＰＬＬ回路部２１ｂからの第１クロック制御電圧ＶＣ１が、制御電圧切替部２１ｃにより選択される（ＰＣＲは放送局により多少異なることがあるので、種々な放送局からのデータストリームに対応するために局毎のＰＣＲに個別に同期したクロックが必要）。
【００２７】
また、ＰＬＬ２が動作するときは、ＶＸＯ２１ｅからの固定クロックＣＫ３に、ＶＣＸＯ２１ａからのクロックＣＫ２が位相ロック（同期）するように、第２ＰＬＬ回路部２１ｄからの第２クロック制御電圧ＶＣ２が、制御電圧切替部２１ｃにより選択される。
【００２８】
すなわち、ＰＬＬ１が動作するように制御電圧切替部２１ｃが切り替えられると、デジタル入力（ＭＰＥＧ２−ＴＳ等のデータストリーム）に含まれる基準時刻情報（ＰＣＲ等）に位相ロック（同期）した同期クロックＣＫＳ（＝ＣＫ１）がＶＣＸＯ２１ａから得られる。また、ＰＬＬ２が動作するように制御電圧切替部２１ｃが切り替えられると、ＶＸＯ２１ｅからの固定クロックＣＫ３に位相ロック（同期）した同期クロックＣＫＳがＶＣＸＯ２１ａから得られる。ここで、ＶＸＯ２１ｅは、デジタル入力（ＭＰＥＧ２−ＴＳ等のデータストリーム）から独立して安定な発振（例えば発振周波数２７ＭＨｚ）を行っている。
【００２９】
そして、デジタル入力（ＭＰＥＧ２−ＴＳ等のデータストリーム）に同期したシステムクロックＳＣＫが必要なときはＰＬＬ１の動作により同期クロックＣＫＳ＝ＣＫ１が選択され、ディスク再生等を行なうときはＰＬＬ２の動作により同期クロックを一旦ＶＸＯ２１ｅに位相ロックさせてから固定クロックＣＫＦ＝ＣＫ３がシステムクロックＳＣＫとして選択される。このように同期クロックＣＫＳ＝ＣＫ１を固定クロックＣＫＦ＝ＣＫ３へ切り替える過程で、ＣＫ３に同期するクロックＣＫ２を仲介させることで、クロック切替時のクロック断絶を回避できる。
【００３０】
なお、この発明の一実施の形態では同期クロックＣＫＳをＭＰＥＧ２−ＴＳのＰＣＲに位相ロックさせているが、実施の形態によっては、同期クロックＣＫＳを別の時刻基準値（例えばＭＰＥＧ１−ＰＳまたはＭＰＥＧ２−ＰＳのＳＣＲ）に位相ロックさせる構成も考え得る。
【００３１】
制御電圧切替部２１ｄは第１ＰＬＬ回路部２１ｂ（ＰＬＬ１）と第２ＰＬＬ回路部２１ｄ（ＰＬＬ２）の選択を制御部２５の制御電圧切替信号に基づいて行なうように構成され、クロック切替部２１ｇは同期クロックＣＫＳ（＝第１クロックＣＫ１または第２クロックＣＫ２）と固定クロックＣＫＦ（＝第３クロックＣＫ３）の切替を制御部２５からのクロック切替信号に基づき行なうように構成されている。
【００３２】
図３は、この発明の一実施の形態に係るクロック生成方法におけるシステムクロックの切替手順を説明するフローチャートである。このフローチャートの処理は、図１のＭＰＵ２５により実行でき、その処理手順は、例えばクロック切替制御部２５ｂ等のファームウエアとして書き込んでおくことができる。
【００３３】
情報記録再生装置の電源が投入されると、処理が開始される（ステップＳＴ３００）。まず、制御部２５は初期設定として（固定クロックと同期クロックの切替を行なうためのお膳立てとして）、固定クロックに同期した同期クロックを生成するため、第２ＰＬＬ回路部２１ｄ系（ＰＬＬ２系）を動作させるよう制御電圧切替部２１ｂを第２クロック制御側に設定する（ステップＳＴ３０２）。これにより、固定クロックＣＫＦに同期した第２クロックＣＫ２が生成される。また、システムクロックＳＣＫを固定周波数ＶＸＯ２１ｅの第３クロックＣＫ３にすべくクロック切替部２１ｇを固定クロック側に設定する（ステップＳＴ３０４）。
【００３４】
次に、デジタル入出力部１１に接続されたデジタル放送チューナの選択時などにおいて、新たにＭＰＥＧ２−ＴＳ信号が受信されたか否かを判定する（ステップＳＴ３０６）。ステップＳＴ３０６における判定がＹｅｓの場合、すなわち新たにＭＰＥＧ２−ＴＳ信号が受信された場合には、制御部２５は、クロック切替部２１ｇに対してクロック切替信号を出力して、固定クロック側から同期クロック側に切り替え、ＶＣＸＯ２１ａから入力する同期クロックの第２クロックＣＫ２をシステムクロックＳＣＫとして出力する（ステップＳＴ３０８）。次に、制御部２５は、第１ＰＬＬ回路部２１ｂ系（ＰＬＬ１系）を動作させるよう制御電圧切替部２１ｂに対して制御電圧切替信号を出力して、第１クロック制御側に切り替え、ＭＰＥＧ２−ＴＳ信号に含まれる基準時刻情報としてのＰＣＲに同期した第１クロックを生成する（ステップＳＴ３１０）。これにより、同期クロックＣＫＳは、第２クロックＣＫ２から第１クロックＣＫ１に変わり、システムクロックＳＣＫ（＝ＣＫ１）として出力される（ステップＳＴ３１２）。
【００３５】
次に、ＭＰＥＧ２−ＴＳ信号が終了したか否かを判定する（ステップＳＴ３１４）。ステップＳＴ３１４における判定がＮｏの場合すなわちＭＰＥＧ２−ＴＳ信号が継続している場合は、システムクロックとして第１クロックを継続して出力する（ＳＣＫ＝ＣＫ１）。
【００３６】
ステップＳＴ３１４における判定がＹｅｓの場合すなわちＭＰＥＧ２−ＴＳ信号が終了した場合は、第２ＰＬＬ回路部２１ｄ系を動作させるよう、制御部２５は制御電圧切替部２１ｂに対して制御電圧切替信号を出力して、第２クロック側に切り替える。すると、ＶＣＸＯ２１ａからの同期クロックＣＫＳは、ＭＰＥＧ２−ＴＳ信号のＰＣＲに同期した第１クロックＣＫ１からＶＸＯ２１ｅの固定クロックＣＫＦ（＝第３クロックＣＫ３）に同期した第２クロックに変わる（ステップＳＴ３１８）。続いて、制御部２５は、クロック切替部２１ｇに対してクロック切替信号を出力し、固定クロック側に切り替える（ステップＳＴ３２０）。これにより、第３クロックＣＫ３をシステムクロックＳＣＫとして出力する（ステップＳＴ３２２）。
【００３７】
このように、放送局毎に変わり得るＰＣＲに同期したクロックＣＫＳ＝ＣＫ１を、ＰＣＲから独立して安定な固定クロックＣＫＦ＝ＣＫ３に切り替える際に、ダイレクトにＣＫ１からＣＫ３に切り替えるのではなく、一旦ＣＫ２（＝ＣＫ３に位相ロック）を仲介させて、ＣＫ３に切り替えている。（ＣＫ１とＣＫ３は非同期関係になる可能性があるが、ＣＫ１からＣＫ２への変化はＰＬＬ動作により連続的に行われるのでクロック断絶はなく、またＣＫ２とＣＫ３は同期関係にあるので、ＣＫ２からＣＫ３への切り替わりでクロック断絶は起きない。）これがこの実施の形態の重要ポイントの１つである。
【００３８】
以後、ＭＰＥＧ２−ＴＳ信号が受信されたか否かを判定する（ステップＳＴ３０６）。ステップＳＴ３０６における判定がＮｏの場合すなわちＭＰＥＧ２−ＴＳ信号が受信されない場合はシステムクロックとして第３クロックを継続して出力する（ＳＣＫ＝ＣＫ３）。
【００３９】
＜実施の形態に係る効果＞
以上、この発明の実施によれば、デジタル放送受信時は受信したデータストリームの基準時刻情報に随従したシステムクロックを正確に生成し、さらにディスク再生時には（使用する水晶振動子２１ｆのグレードに応じて）低ジッター、高ピュリティでかつ周波数変動の極小なシステムクロックを提供する。そうすることで、それぞれの再生に適した環境を実現し、最適な映像処理動作が可能となる。
【００４０】
なお、この発明は前述した実施の形態に限定されるものではなく、現在または将来の実施段階では、その時点で利用可能な技術に基づき、その要旨を逸脱しない範囲で種々に変形することが可能である。例えば、実施の形態の説明では、図１のデジタル入出力部１１を通過するデータストリームはデジタル放送で用いられるＭＰＥＧ２−ＴＳであるとしたが、これはＭＰＥＧ２−ＴＳに限定されない。このデータストリームは、ＭＰＥＧ４（Ｈ２６４）のビットストリームでもよいし、（製品化は未だであるが）ＤＶＤストリーマ（ＤＶＤ−ＳＲ）からのビットストリームでもよい。
【００４１】
また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【図面の簡単な説明】
【００４２】
【図１】この発明の一実施の形態に係る情報記録再生装置の構成例を示すブロック図。
【図２】この発明の一実施の形態に係るクロック生成装置の構成例を示すブロック図。
【図３】この発明の一実施の形態に係るクロック生成方法におけるシステムクロックの切替手順を説明するフローチャート図。
【符号の説明】
【００４３】
Ｄ…記録媒体（ＤＶＤ−ＲＡＭ、−ＲＷ、−Ｒなどの光ディスク）；１１…デジタル入出力部；１２…ＴＶチューナ部；１３…ＡＶ入力部；１４…デジタルＩ／Ｆ部；１５…Ａ／Ｄ変換部；１６…エンコーダ部；１７…データ処理部；１８…一時記憶部；１９…ＨＤＤ（ハードディスクドライブ）部；２０…ディスクドライブ部；２１…クロック生成部；２２…デコーダ部；２３…Ｄ／Ａ変換部；２４…ＡＶ出力部；２５…制御部（ＭＰＵ）；２６…ユーザインターフェース部（リモコン・装置の操作パネル等）。
【図１】
2006134390.tif 000003
【図２】
2006134390.tif 000004
【図３】
2006134390.tif 000005